(57)【要約】      （修正有）【課題】通信端末と信号受信装置の同時操作時に、ユーザの信号受信装置への注意を喚起する受信装置、受信プログラム及び受信方法を提供する。【解決手段】信号受信装置１００は、放送波を受信する受信部１１と、放送波を画像信号と第１の音声信号と第２の音声信号とに分離する分離部１２と、第２の音声信号を通信端末に送信する送信部１３と、画像信号と第１の音声信号とを表示部に出力する出力部１４とを備え、通信端末は受信した第２の音声信号を再生出力する。【選択図】図１３
2016171481.tif 000002
【特許請求の範囲】
【請求項１】
放送波を受信する受信手段と、
前記放送波を画像信号と第１の音声信号と第２の音声信号とに分離する分離手段と、
前記第２の音声信号を通信端末に送信する送信手段と、
前記画像信号と前記第１の音声信号とを表示部に出力する出力手段と、
を備える信号受信装置。
【請求項２】
前記送信部は、前記第２の音声信号をＩＰ信号に変換してから前記通信端末に送信する請求項１の信号受信装置。
【請求項３】
前記送信部は、前記第２の音声信号を、中継器を介して前記通信端末に送信する請求項１または請求項２のいずれかに記載の信号受信装置。
【請求項４】
前記受信部は複数であり、前記受信部の一つである第１の受信部は前記放送波のうち第１のチャンネルを受信して前記表示部に出力し、前記受信部の他の一つである第２の受信部は、前記放送波のうち第２のチャンネルを受信し、その音声信号を前記通信端末に送信する請求項１乃至請求項３のいずれかに記載の信号受信装置。
【請求項５】
画面とマイクロフォンとスピーカとを備える通信端末と、
放送波を受信する受信部と、前記放送波を画像信号と第１の音声信号と第２の音声信号とに分離する分離部と、前記第２の音声信号を前記通信端末に送信する送信部と、
前記画像信号と前記第１の音声信号とを表示部に出力する出力部と、を備える信号受信装置と、
を備える信号受信システム。
【請求項６】
前記出力部は信号の出力時刻を制御する出力時刻調整部を有し、前記通信端末は、前記マイクロフォンで検出した前記第１の音声信号の検出時刻と、前記出力調整部で出力時刻を調整された第２の音声信号の受信時刻との差異を基に、前記第２の音声信号の出力時刻を決定し、出力する出力時刻決定部を有する、請求項５に記載の信号受信システム。
【請求項７】
放送波を受信する受信処理と、
前記放送波を画像信号と第１の音声信号と第２の音声信号とに分離する分離処理と、
前記第２の音声信号を通信端末に送信する送信処理と、
前記画像信号と前記第１の音声信号とを表示部に出力する出力処理と、
を、コンピュータに実行させる信号受信プログラム。
【請求項８】
前記第２の音声信号をＩＰ信号に変換してから前記通信端末に送信する前記送信処理を前記コンピュータに実行させる請求項７の信号受信プログラム。
【請求項９】
前記第２の音声信号を、中継器を介して前記通信端末に送信する前記送信処理を前記コンピュータに実行させる請求項７または請求項８のいずれかに記載の信号受信プログラム。
【請求項１０】
放送波を受信し、
前記放送波を画像信号と第１の音声信号と第２の音声信号とに分離し、
前記第２の音声信号を通信端末に送信し、
前記画像信号と前記第１の音声信号とを表示部に出力する、信号受信方法。
【発明の詳細な説明】
【技術分野】
【０００１】
本発明は音声信号の一部を通信端末に送信する信号受信装置に関する。
【背景技術】
【０００２】
スマートフォン、タブレットフォン、携帯電話などの通信端末のユーザは、しばしばテレビを見ながら、これらを操作する。図１は、この様子を表すイメージ図である。
【０００３】
視聴者であるユーザにとってテレビ受信機９は、主に、送られてきた映像と音声とを自動的に出力する装置である。ユーザは、送られてきた画像を見、音声を聞くが、その画像を能動的に生成したり修正したりすることはほとんどない。これに対してスマートフォンに代表される通信端末２は、自発的にそのタッチパネル、あるいはキーボードを操作されることによって、ユーザが自ら表示対象を生成または変更する。そのため、ユーザはこうした通信端末２の操作に夢中になると、テレビ受信機９が発信する情報信号に注意が及ばなくなることがある。このことによって、重要な情報を聞き漏らすという事態が発生することがある。
【０００４】
特許文献１は、複数のコンポーネントを含むテレビ信号受信装置の映像コンテンツを、複数の表示装置に配信することを公開している。
【先行技術文献】
【特許文献】
【０００５】
【特許文献１】特開２０１３−２５５２０４
【発明の概要】
【発明が解決しようとする課題】
【０００６】
特許文献１は、画像の配信については開示しているが、音声については言及していない。したがって、通信端末とテレビとの同時視聴のために疎かになったテレビ画面への注意を、テレビ受信機からの別の信号で喚起することはできない。
【０００７】
本発明の主たる目的は、テレビを含む信号受信装置と通信端末を同時に視聴、もしくは操作する場合に、信号受信装置への注意が散漫になることを防止する信号受信装置を提供することである。
【課題を解決するための手段】
【０００８】
本発明の一つの見地は、放送波を受信する受信部と、前記放送波を画像信号と第１の音声信号と第２の音声信号とに分離する分離部と、前記第２の音声信号を通信端末に送信する送信部と、前記画像信号と前記第１の音声信号とを表示部に出力する出力部と、
を備える信号受信装置である。
【０００９】
本発明の他の見地は、放送波を受信する受信処理と、前記放送波を画像信号と第１の音声信号と第２の音声信号とに分離する分離処理と、前記第２の音声信号を通信端末に送信する送信処理と、前記画像信号と前記第１の音声信号とを表示部に出力する出力処理と、を、コンピュータに実行させる信号受信プログラムである。
【００１０】
本発明の別の他の見地は、放送波を受信し、前記放送波を画像信号と第１の音声信号と第２の音声信号とに分離し、前記第２の音声信号を通信端末に送信し、前記画像信号と前記第１の音声信号とを表示部に出力する、受信方法である。
【００１１】
また、同目的は、上記構成を有する信号受信装置及び信号受信方法を、コンピュータによって実現するコンピュータ・プログラム、及びそのコンピュータ・プログラムが格納されている、コンピュータ読み取り可能な記憶媒体によっても達成される。
【発明の効果】
【００１２】
本発明によれば、上記の課題を解決し、ユーザが信号受信装置と通信端末とを同時に操作する場合に、信号受信装置への注意を喚起することができる。
【図面の簡単な説明】
【００１３】
【図１】テレビ受信機の映像を見、音声を聞きながらスマートフォンの操作を行うユーザの様子を表す一例である。
【図２】本発明の第１の実施形態の構成を示すブロック図である。
【図３】本発明の第１の実施形態の動作を示すフローチャートである。
【図４】本発明の第１の実施形態の応用例を表すイメージ図である。
【図５】本発明の第１の応用例の構成を示すブロック図である。
【図６】本発明の第１の応用例の信号処理を示す図である。
【図７】本発明の第１の応用例の動作を示すフローチャートである。
【図８】本発明の利用例を表す図である。
【図９】放送波の送信時刻と信号受信装置への出力時刻と通信端末への出力時刻と、の関係を示した図である。
【図１０】本発明の第２の実施形態の構成を示すブロック図である。
【図１１】本発明の第２の実施形態の動作を示すフローチャートである。
【図１２】本発明の第３の実施形態の構成を示すブロック図である。
【図１３】本発明の第４の実施形態の構成を示すブロック図である。
【図１４】本発明の第１乃至第４の実施形態をコンピュータプログラムで実行することが可能な情報処理装置の構成を例示するブロック図である。
【発明を実施するための形態】
【００１４】
（第１の実施形態）
図２は、本発明の第１の実施形態の構成を表す図である。信号受信装置１は、放送局５から、電波塔３を介して送信された放送波を受信部１１で受信する。受信部１１は図示しないアンテナから放送波を受信する。信号受信装置１はテレビ受信機、パーソナルコンピュータ、デジタルサイネージを含む。この放送波は、主音声信号と副音声信号と画像信号とを含むものとする。ここで言う放送波には、少なくとも地上デジタル波、地上アナログ波が含まれる。受信部１１はチューナとも呼ばれる。後述する符号の異なる受信機についても、同じくチューナと呼ばれることがある。
【００１５】
分離部１２は、受信部１１から放送波（図２における３重線）を取得し、これを、主音声信号（一点鎖線）と副音声信号（点線）と画像信号（実線）とに分離する。分離部１２は、主音声信号と画像信号とを出力部１４に送信する。出力部１４は画像信号と主音声信号とを表示部４に送信する。表示部４は画像信号をもとに映像を表示し、主音声信号を画像信号に同期させられた主音声信号をスピーカから出力する。分離部１２は、副音声信号を送信部１３に出力する。送信部１３は、副音声信号を通信端末２に送信する。通信端末２は、副音声信号を内蔵のスピーカから出力する。したがってユーザは、通信端末２を操作しつつ、信号受信装置１の映像と連動した音声をきくことが可能となる。通信端末２は、スマートフォン、タブレット、携帯電話、ＰＨＳ（Ｐｅｒｓｏｎａｌ Ｈａｎｄｙｐｈｏｎｅ  Ｓｙｓｔｅｍ）、ＰＤＡ（Ｐｅｒｓｏｎａｌ Ｄｉｇｉｔａｌ Ａｓｓｉｓｔａｎｔ）を含む。また、通信端末２は、内蔵スピーカ、内蔵マイクロフォンを備えている。なお、通信端末２はデジタルデバイスと呼ばれることもある。後述する符号の異なる通信端末についても、同じくデジタルデバイスと呼ばれることがある。
【００１６】
図３は、本実施形態の動作を表すフローチャートである。受信部１１はアンテナにより捕えた放送波を受信する（ステップ１）。分離部１２は受信した放送波を、主音声信号と副音声信号と画像信号とに分離する（ステップ２）。分離部１２は、主音声信号と画像信号とを出力部１４に出力する（ステップ３）。出力部１４は表示部４に画像信号を出力し、主音声信号を画像信号に同期させて表示部４のスピーカに出力する（ステップ４）。分離部１２は、副音声信号を、送信部１３に出力する（ステップ５）。送信部１３は、通信端末２に副音声信号を出力する（ステップ６）。
【００１７】
図４は、第１の実施形態の応用例を示すイメージ図である。この適用例では、信号受信装置１としてテレビ受信機９を用いている。また、通信端末２として、スマートフォンを用いている。この適用例では、テレビ受信機９が副音声信号をＩｎｔｅｒｎｅｔ  Ｐｒｏｔｏｃｏｌ（ＩＰ）に則った通信規約となるように変換し、無線ルータ１６を介してスマートフォンに配信している。
【００１８】
なお、Ｉｎｔｅｒｎｅｔ  Ｐｒｏｔｏｃｏｌに則った通信規約に変換することを、「ＩＰ化する」、又は「ＩＰ変換する」とも言う。この応用例は、図５に示す構成で実現される。図２の構成と異なる点は、送信部１３から出力された副音声信号が中継器６を経て、通信端末２に入力される点である。中継器６は無線ルータ１６を含む。
【００１９】
送信部１３は、図６に示すように、副音声信号のプロトコル変換を行い、これをＩＰ化する。ＩＰ化により、ＴＣＰ／ＩＰプロトコル（ＴＣＰ／ＩＰ：Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に則った通信方式に変換された副音声信号は、中継器６に入力される。ＴＣＰ／ＩＰプロトコルはすでに確立された通信プロトコルであり、ここでは詳細な説明を省く。
【００２０】
通信端末２は、中継器６から出力されたＩＰ化された副音声信号を音声データに変換し、内蔵のスピーカもしくは自機に接続されたヘッドフォンに出力する。中継器６は、Ｗ−ＬＡＮ（Ｗｉｒｅｌｅｓｓ−Ｌｏｃａｌ  Ａｒｅａ  Ｎｅｔｗｏｒｋ）ルータ、無線ルータ、ホームゲートウェイを含む。
【００２１】
図６は、本応用例においてテレビ信号受信装置１の各部が行なう信号処理の一例を表した図である。受信部１１はＲＦフロントエンド（ＲＦ：Ｒａｄｉｏ  Ｆｒｅｑｕｅｎｃｙ）モジュールと、ＯＦＤＭ復調モジュール（ＯＦＤＭ：Orthogonal frequency-division multiplexing、直交周波数分割多重方式）を含む。
【００２２】
ＯＦＤＭ変調された地上デジタル波は、ＲＦフロントエンドモジュールで増幅され、信号処理に適した中間周波数に変換される。中間周波数に変換された放送波は、ＯＦＤＭ復調モジュールで復調される。復調された放送波信号は、分離部１２において、画像信号と、主音声信号と、副音声信号と、に分離される。これらの信号はそれぞれデコード処理により復号化される。復号化された、主音声信号と画像信号は出力部１４に出力され、これらの信号には合成処理が施される。合成処理された音声信号及び画像信号は、表示部４のスピーカに出力される。
【００２３】
一方、デコード処理された副音声信号は、送信部１３でプロトコル変換によりＩＰ化され、ＩＰ信号になる。ＩＰ信号化した副音声信号は、中継器６に出力される。中継器６は副音声信号を通信端末２に出力する。
【００２４】
図７は、本応用例の動作を表すフローチャートである。受信部１１はアンテナにより放送波を受信する（ステップ１１）。分離部１２は受信した放送波を、画像信号と主音声信号と副音声信号とに分離する（ステップ１２）。
【００２５】
分離部１２は、主音声信号と画像信号とを出力部１４に出力する（ステップ１３）。出力部１４は表示部４に画像信号を出力し、主音声信号を画像信号に同期させて表示部４のスピーカに出力する（ステップ１４）。分離部１２は、副音声信号を、送信部１３に出力する（ステップ１５）。送信部１３は、副音声信号をＩＰ化した後、中継器６に出力する（ステップ１６）。中継器６は、通信端末２に副音声信号を出力する（ステップ１７）。
【００２６】
以上により、図４の視聴者は、テレビ受信機９で番組を見ながら手元の通信端末２からテレビ番組に連動した音声を聴くことが可能となる。ユーザは、通信端末２からテレビ番組に連動した副音声信号を聞くことで、信号受信装置１への注意を喚起される。
【００２７】
図８は本実施形態の利用例を示す。視聴者であるユーザは、信号受信装置１のひとつであるテレビ受信機９の画面で野球放送を見ながら、解説の副音声を通信端末２のひとつであるスマートフォンで聞くことが可能である（図８（ａ））。また、テレビ受信機９の画面でサスペンス番組を見ながら、副音声のコメント及び会話をスマートフォンで聞くことが可能である（図８（ｂ））。
【００２８】
本実施形態の受信部１１、分離部１２、送信部１３、出力部１４は論理回路などのハードウェアで実現されてもよいし、図示されていないメモリに格納されているプログラムを実行することで実現されてもよい。
【００２９】
本実施形態では、副音声信号を通信端末２に出力し、主音声信号を表示部４に出力しているが、これらの音声信号の関係は必ずしも主と副である必要はない。第１の音声信号を表示部４に出力し、第１の音声信号とは異なる第２の音声信号を通信端末２に出力してもよい。
【００３０】
信号受信装置１が受信する信号は放送波には限定されない。たとえばサイネージのように、ストレージに格納された情報を信号として受信してもよい。
【００３１】
ＩＰ化は必ずしも必要ではない。送信部１３は、復号化された副音声信号を、有線ケーブルで通信端末のマイクロフォンに送信することもできる。
【００３２】
上記実施形態では、地上デジタル放送を受信する場合について説明されている。受信部１１の構成は、信号の種類によって、随時変更することができる。
（第２の実施形態）
信号受信装置１で受信した番組の音声を通信端末２で聞く場合、信号受信装置１の画面の映像と通信端末２が出力する音声の間にずれが生じる。第２の実施形態は、信号受信装置１の画面の映像と通信端末２が出力する音声のずれを補正する機能を第１の実施形態に追加したものである。
【００３３】
図９は、放送波の送信時刻と、画像信号及び主音声信号が信号受信装置１に出力される時刻と、通信端末２の音声信号が通信端末２に出力される時刻と、の関係を示した図である。各四角形はデータパケットを表わす。各四角形の中の数字は放送波として送信された時刻を表している。
【００３４】
信号受信装置１と通信端末２の出力時間を調整しない場合、（ａ）に示すように信号受信装置１は、放送波送信時刻から“Ｔ０”だけ遅れて映像信号と主音声信号とを出力する。“Ｔ０”は、信号受信装置１の内部のチューナ処理やデコード処理で発生する遅延時間である。ここで、映像信号と主音声信号は、信号受信装置１の内部で同期をとっているものとする。
【００３５】
通信端末２が副音声信号を出力する時刻は、信号受信装置１の各信号の出力時刻からさらに遅れて、放送波送信時刻から“Ｔ１”（Ｔ１＞Ｔ０）の遅れとなる。“Ｔ１”は、信号受信装置１からルータまでの伝送による遅延と、通信端末２の内部での音声信号処理による遅延を“Ｔ０”に加算した結果得られる遅延時間である。
【００３６】
このような遅延により、信号受信装置１の映像や音声と比べ、通信端末２からの音声出力は、“Ｔ１”と“Ｔ０”の差分である“Ｔ１−Ｔ０”分だけ遅れてユーザの耳に届く。通信端末２を操作している信号受信装置１の視聴者は、信号受信装置１の画像と通信端末２の音声のずれを、違和感を持って受け止める。
【００３７】
信号受信装置１と通信端末２の出力時刻が一致していれば、音声のずれは生じない。（ｂ）は、信号受信装置１の出力と、通信端末２の出力との両方が、放送波送信時間から“Ｔ０”より大きい“Ｔ２”の遅れとなるように設定した場合の、各時刻の出力時刻の関係を示している。
【００３８】
図１０は、第２の実施形態の構成を示すブロック図である。第１の実施形態と異なる部分は、出力部２４と通信端末４０が、出力時間調整部２４０、出力時間調整部２１０をそれぞれ有している点である。出力部２４は、映像信号、主音声信号の合成信号出力時刻を、映像信号の受信時刻から“Ｔ２”時間、遅らせる。“Ｔ２”は、“Ｔ１”より大きいものとする。
【００３９】
通信端末４０の出力調整部２１０は、通信端末４０が内蔵しているマイクロフォンから受けた音声信号の受信時刻と、中継器６から受けた副音声信号の受信時刻との差異を検出する。出力調整部２１０は、中継器６から受信した副音声信号の出力時刻を、この差異を基に調整する。この結果、副音声信号の出力時刻は、マイクロフォンから受けた音声信号の受信時刻に同期する。通信端末４０を操作している信号受信装置８の視聴者は、信号受信装置８の画像と通信端末４０の音声にずれを感じないので、違和感を持たない。この方式により、信号受信装置の映像と通信端末の出力音声のタイミングを一致させることが可能となる。
【００４０】
図１１は本実施形態の動作を表すフローチャートである。受信部１１はアンテナにより放送波を受信する（ステップ３１）。分離部１２は受信した放送波を、主音声信号と副音声信号と画像信号とに分離する（ステップ３２）。分離部１２は、主音声信号と画像信号とを出力部２４に出力する（ステップ３３）。出力部２４の出力時間調整部２４０は出力時間を“Ｔ２”に調整する（ステップ３４）。出力部２４は、画像信号と主音声信号とを表示部４に出力する（ステップ３５）。
【００４１】
分離部１２は、副音声信号を、送信部１３に出力する（ステップ３６）。送信部１３は、副音声信号をＩＰ化した後、中継器６に出力する（ステップ３７）。中継器６は、通信端末４０に副音声信号を出力する（ステップ３８）。通信端末４０の出力時間調整部２１０は、マイクロフォンから受けた主音声信号と、中継器６から受信した副音声信号との受信時間の差異を検出する。出力時間調整部２１０は、この差異をなくすように、中継器６から受信した副音声信号の出力時刻を調整し、マイクロフォンから受けた音声信号に副音声信号の出力時刻を同期させる（ステップ３９）。通信端末４０は、スピーカから副音声信号を出力する（ステップ４０）。
【００４２】
この方式により、信号受信装置８の映像と通信端末４０の出力音声のタイミングを一致させることが可能となる。
【００４３】
信号受信装置８の内部処理による遅延量、信号受信装置８から通信端末４０までの伝送による遅延量、及び通信端末４０の内部処理での遅延量を足し合わせたものを、ここでは、総遅延量と呼ぶものとする。総遅延量が時間によって変化しない場合は、一回の出力時間調整だけで、信号受信装置８の映像と通信端末４０の出力音声のタイミングを一致させることが可能である。総遅延量が時間で変化する場合、出力時間調整部２１０は、遅延量を継続的に観測し、その値に応じて出力時刻を調整する。
【００４４】
通信端末４０を操作している信号受信装置８の視聴者は、通信端末４０から、信号受信装置８に表示された映像に連動した音声を、信号受信装置８の映像とのずれを感じずに聞くことできる。そのため、第１の実施形態の効果にくらべて、より違和感なく信号受信装置８への注意を喚起される。
（第３の実施形態）
図１２は、本発明を複数のチューナを備える信号受信装置１０に適用した実施形態である。信号受信装置１０は、同時に複数番組を受信することが出来る。通常は１つのチューナを使用して信号受信装置の画面を表示するが、それ以外のチューナを利用して、裏番組の音声を通信端末に配信し、信号受信装置で表示している番組以外の音声を通信端末で聴取することを可能とする。
【００４５】
信号受信装置１０は、受信部２１と受信部３１とを備える。受信部２１は放送局５から電波塔３を介してチャンネルＡの放送波（３重線）を受信し、ＲＦフロントエンドモジュールでこれを増幅して中間周波数に変換した後、ＯＦＤＭ復調する。受信部２１はチャンネルＡの放送波を分離部２２に出力する。
【００４６】
分離部２２は、この放送波を、映像信号Ａ（実線）と音声信号Ａ（一点鎖線）とを分離して、それぞれデコードした後、出力部２３に出力する。出力部２３は、映像信号Ａと音声信号Ａとを合成して、表示部２５に出力する。
【００４７】
受信部３１は放送局７から電波塔を介してチャンネルＢの放送波（二重線）を受信し、ＲＦフロントエンドモジュールで増幅して中間周波数に変換した後、ＯＦＤＭ復調する。受信部３１はチャンネルＢの放送波を分離して分離部３２に出力する。分離部３２は、チャンネルＢの信号を映像信号Ｂ（実線）と音声信号Ｂ（一点鎖線）とに分離して、それぞれデコードした後、送信部３３に出力する。送信部３３は、音声信号ＢをＩＰ化した後、通信端末２０に出力する。
【００４８】
送信部３３は音声信号Ｂを有線ＬＡＮ（Ｌｏｃａｌ  Ａｒｅａ  Ｎｅｔｗｏｒｋ）コネクタを用いて、通信端末２０に送信することができる。また、送信部３３は、音声信号Ｂを、中継器６を介して通信端末２０に送信することもできる。この場合、送信部３３は有線ＬＡＮコネクタを介して中継器６に送信することもできるし、無線ＬＡＮモジュールを介して無線で中継器６に送信することもできる。
【００４９】
一例として、信号受信装置１０をテレビ受信機とし、通信端末２０をスマートフォンとする。また、チャンネルＡをアニメ番組、チャンネルＢをスポーツ番組とする。ユーザは、アニメ番組をテレビ受信機の画面である表示部２５で視聴しつつ、スポーツの試合の経過をスマートフォンが出力する音声により確かめることができる。
【００５０】
また、別の一例として、通信端末２０が持っている「同時通訳アプリケーション」を利用することで、番組の音声を通信端末２０上で同時通訳し別の言語で聞くことが可能となる。
【００５１】
この実施形態では、放送局５からチャンネルＡの放送波が送信され、放送局７からチャンネルＢの放送波が送信されているが、放送局５（または放送局７）からチャンネルＡの放送波とチャンネルＢの放送波の両方が送信される場合もある。
【００５２】
この方式により、チャンネルＡの画像を聴取しているユーザの注意を、チャンネルＢに喚起させることができる。
（第４の実施形態）
本発明の第４の実施形態を、図１３を参照して説明する。本発明の第４の実施形態は、放送波を受信する受信部１１と、この放送波を画像信号と第１の音声信号と第２の音声信号とに分離する分離部１２と、この第２の音声信号を通信端末２に送信する送信部１３と、画像信号と第１の音声信号とを表示部４に出力する出力部１４と、を備える信号受信装置１００である。
【００５３】
本実施形態により、通信端末２と信号受信装置１００とを同時に視聴するユーザの、信号受信装置１００に向ける注意が、散漫になることを抑制することができる。
【００５４】
上述した第１乃至第４の実施形態を例に説明した本発明は、当該実施形態の説明におい
て参照した図３、図７、図１１のフローチャートの機能、或いは図２、図５、図１２に示したブロック図において当該装置内に示した各部を実現可能なプログラムを、図１４に示す情報処理装置１０００に対して供給した後、そのプログラムをＣＰＵ１１００（ＣＰＵ：Ｃｅｎｔｒａｌ  Ｐｒｏｃｅｓｓｉｎｇ  Ｕｎｉｔ）に対して実行することによって達成される。また、情報処理装置１０００内に供給されたプログラムは、読み書き可能な一時記憶メモリ１２００またはハードディスクドライブ等の不揮発性の記憶装置１３００に格納すればよい。
【符号の説明】
【００５５】
１    信号受信装置
２    通信端末
３    電波塔
４    表示部
５    放送局
６    中継器
７    放送局
８    信号受信装置
９    テレビ受信機
１０    信号受信装置
１１    受信部
１２    分離部
１３    送信部
１４    出力部
１６    無線ルータ
２０    通信端末
２４    出力部
２１    受信部
２２    分離部
２３    出力部
２５    表示部
３１    受信部
３２    分離部
３３    送信部
４０    通信端末
２４０    出力時間調整部
２１０    出力時間調整部
１０００    情報処理装置
１１００    ＣＰＵ
１２００    一時記憶メモリ
１３００    記憶装置
【図１】
2016171481.tif 000003
【図２】
2016171481.tif 000004
【図３】
2016171481.tif 000005
【図４】
2016171481.tif 000006
【図５】
2016171481.tif 000007
【図６】
2016171481.tif 000008
【図７】
2016171481.tif 000009
【図８】
2016171481.tif 000010
【図９】
2016171481.tif 000011
【図１０】
2016171481.tif 000012
【図１１】
2016171481.tif 000013
【図１２】
2016171481.tif 000014
【図１３】
2016171481.tif 000015
【図１４】
2016171481.tif 000016